(57)【特許請求の範囲】
【請求項１】
生体内組織部位の観察と処置のうち少なくとも一方を行うスレーブマニピュレータと、
このスレーブマニピュレータを操作するための操作手段と、
この操作手段からの操作情報に基づいて前記スレーブマニピュレータの動作を制御する制御手段と、
を備えた体腔内手術用マニピュレータ装置において、
生体内組織部位を観察する手段と、
この観察手段の観察範囲を変化させる手段と、
前記観察手段の観察範囲の変化に応じて前記操作手段と前記スレーブマニピュレータの動作比率を自動的に調整させる手段と、
を設けたことを特徴とする体腔内手術用マニピュレータ装置。
【発明の詳細な説明】
【０００１】
【産業上の利用分野】
本発明は生体内組織部位を観察しながら手術を行う体腔内手術用マニピュレータ装置に関する。
【０００２】
【従来の技術】
内視鏡下で行う外科手術が知られているが、この内視鏡下外科手術は体腔内に処理具と内視鏡を導入してその内視鏡による観察下で処置を行うものである。また、この内視鏡下外科手術において、術者の頭部に装着したヘッドマウントディスプレイ（ＨＭＤ）を用いて内視鏡像を観察するものがある。この場合において、処置具を支持する処置用スレーブマニピュレータと内視鏡を支持する観察用スレーブマニピュレータと、それらのスレーブマニピュレータを操作するマスタマニピュレータが用意される。そして、処置用スレーブマニピュレータを操作するマスタマニピュレータとしてはマスタアームが使われ、観察用スレーブマニピュレータを操作するものとしては前記ＨＭＤの動きを検出してその観察用スレーブマニピュレータを追従させるようにしたものとしてある。マスタアームとＨＭＤの動きに応じて体腔内を観察しながら目的部位に対する処置を行うようになっている。
【０００３】
【発明が解決しようとする課題】
しかしながら、内視鏡観察下での手術中において、内視鏡を患部に近付けたり遠ざけたりしたとき、マスターとスレーブのスケール比が変化するため、画面上での被検体の動きの状況が変わる。例えば細かな作業をするときのように内視鏡を術部に近づけるときには、マスター側の小さな動きに対しても、その視野内で術部や処置具が大きく急激に動いてしまう。このため、作業がやりにくかった。その視野画面上での被検体の動きから感覚的に実際の動きを換算して把握するとしてもかなりの熟練を要するものであった。
【０００４】
そこで、マスタースレーブの動作におけるスケール比や感度等のパラメータを変更することができるようにした未公開出願のものが提案されている（特願平６−２０８８８７号）。しかし、これはその操作の都度、制御用パラメータを設定しなければならないため、必ずしも操作性のよいものとは思われない。
【０００５】
本発明は前記課題に着目してなされたもので、その目的とするところは操作の都度、自動的にパラメータが変更され、処置具や被検体が観察し易いスピードで観察画面内を移動させることによって手技の操作性を高めた体腔内手術用マニピュレータ装置を提供することにある。
【０００６】
【課題を解決するための手段】
本発明は、生体内組織部位の観察と処置のうち少なくとも一方を行うスレーブマニピュレータと、このスレーブマニピュレータを操作するための操作手段と、この操作手段からの操作情報に基づいて前記スレーブマニピュレータの動作を制御する制御手段と、を備えた体腔内手術用マニピュレータ装置において、生体内組織部位を観察する手段と、この観察手段の観察範囲を変化させる手段と、前記観察手段の観察範囲の変化に応じて前記操作手段と前記スレーブマニピュレータの動作比率を自動的に調整させる手段と、を設けたことを特徴とするものである。
【０００７】
【実施例】
＜第１の実施例＞
図１ないし図５を参照して、本発明の第１の実施例について説明する。
（構成）
図１はこの第１の実施例に係る内視鏡下手術用マニピュレータシステムを示している。同図１中、１は手術台であり、この手術台１には患者２が載る。手術台１の両サイドにはそれぞれベッドサイドレール３が設けられている。これらのベッドサイドレール３には鉗子等の内視鏡用処置具４を着脱自在に支持する第１の保持アーム６と、立体撮像式の電子スコープ（内視鏡）５を着脱自在に支持する第２の保持アーム７が取り付けられている。ここでは保持アーム６はこれの他にも設けてよい。これらにより処置具４やスコープ５の、患者２の体腔内に対する位置決めがなされる。また、前記処置具４およびスコープ５は患者２の体壁に刺通された図示しないトラカールを利用して体腔２ａ内に挿入されている。
【０００８】
前記各保持アーム６，７はいずれもそれに対応する側のベッドサイドレール３に取着する基部アーム８とこの基部アーム８から立設される中間屈曲アーム９とこの中間屈曲アーム９から水平方向へ突き出す先端アーム１０とを備えてなる。そして、これらの保持アーム６，７の先端アーム１０に対する処置具４やスコープ５の接続は、いずれも複数の自由度を有する関節手段であるフリー関節機構部１１を介して設けたアームジョイント部１２によって行なわれている。なお、フリー関節機構部１１を設けて処置具４やスコープ５を保持するのは患者２が例えば術中に動いてそれを通す体壁の孔２ｂの位置がずれるようなことがあっても，その孔２ｂに無理な力が加わらないようにするためである。
【０００９】
前記各保持アーム６，７においての中間屈曲アーム９はその基部アーム８に対して上下方向への伸縮動作（図１中で示すａ方向）と回転動作（図１中で示すｂ方向）を行えるように構成されており、また先端アーム１０はその中間屈曲アーム９から患者側へ突き出すアーム部分から水平な左右方向への伸縮動作（図１中に示すｃ方向）を行なうことができるように構成されている。
【００１０】
そして、このような各動きを実現するために前記各アーム８，９，１０内には図示しないアクチュエータが配置されている。このアクチュエータとしては例えばロボットの位置決めに用いられているサーボモータが使用される。これらのアクチュエータは後述する処置用スレーブマニピュレータ制御部２８と観察用スレーブマニピュレータ制御部２９によってそれぞれ駆動制御されるようになっている。
【００１１】
前記処置具４とスコープ５の各挿入部における先端部の向きはそれの手前部分に設けた湾曲部を図１中に示すＡ方向及びこれに直交するＢ方向に適宜湾曲することにより選定することができるようになっている。これの湾曲駆動は処置具４の手元部に設けたサーボモータ収納部１３とスコープ５の手元部に設けたサーボモータ収納部１４内にそれぞれ設けられた図示しないサーボモータを駆動させて挿入部内に挿通配置された図示しないワイヤーを牽引することによって行なわれる。
【００１２】
また、前記処置具４と前記スコープ５は図１中に示すＤ方向に回転させられるようになっている。このような回転は前記アームジョイント部１２内に設けられた図示しないサーボモータを駆動させて同じく図示しない回転機構を動作させることにより行なわれる。また、処置具４の先端鉗子部４ａにはこれを開閉させるための開閉機構が設けられており、この開閉機構は前記サーボモータ収納部１３内に設けられた別の図示しないサーボモータを駆動させて挿入部内に挿通配置されたロッドもしくはワイヤ部材を押し引き操作することにより動作させられるようになっている。
ここで、前記処置具４と第１の保持アーム６とを組み合わせたものを処置用スレーブマニピュレータ１５と称し、またスコープ５と第２の保持アーム７とを組み合わせたものを観察用スレーブマニピュレータ１６と称することにする。そして、これらは後述する操作手段によって動作が制御されるようになっている。
【００１３】
図１において示されるように、処置用スレーブマニピュレータ１５を操作するための操作手段であるマスターアーム（マニピュレータ）１７と、観察用スレーブマニピュレータ１６を操作するための操作手段を組み込んだヘッドマウントディスプレイ（以下、ＨＭＤと称す。もっとも、これの代わりにフェイスマウントディスプレイ（ＦＭＤ）を用いてもよい。）とが設けられている。
【００１４】
前記ＨＭＤ１８は術者の頭部に装着されるものであり、これはその術者の眼の前を覆う目と対面する内側に前記スコープ５で得られた映像を表示するための左右２つの液晶ディスプレイ（図示しない）を備える。このモニタ手段としてのＨＭＤ１８を術者の頭部に装着した際に左右の各液晶ディスプレイは術者の目に対応した位置にセットされる。
【００１５】
また、前記マスターアーム１７は複数のアームを連結したリンク機構１９で構成されており、このリンク機構１９を構成する各アームの連結部には図示しない位置検知用のエンコーダが設けられている。これらのエンコーダによって各リンクの動きを検出し、後述するマスターデータ受信部２７で演算して、そのマスターアーム１７の操作の状況を検知するようになっている。なお、このマスターアーム１７は操作者がそのマスターアーム１７から手２０を離した場合でもマスターアーム１７の自重によって勝手に動かないように作られている。つまり、マスターアーム１７の各アームリンクには図示しない電磁クラッチが取り付けられており、この電磁クラッチによってマスターアーム１７は必要以外の時には動かないように動きが制限されている。
【００１６】
またマスタースレーブモードで実際に処置用スレーブマニピュレータ１５を動かす際には操作者が図示しないフットスイッチを踏む動作によって前記電磁クラッチのロック状態が解除される。ここでのマスタースレーブモードとは操作入力手段であるマスターアーム１７の動きが処置用スレーブマニピュレータ１５に伝達され得るモード、すなわちマスターアーム１７の動きに処置用スレーブマニピュレータ１５が追従できるモードをいう。
【００１７】
なお、ここでは、処置用スレーブマニピュレータ１５を操作する手段として、マスターアーム１７に設置されたエンコーダの情報を用いているが、このようなマスターアーム１７を用いることなく、例えば歪ゲージや圧力センサーを用いた３次元ジョイステックあるいは力覚センサーまたは磁気センサのような空間的な位置情報を認識する入力装置を用いても構わない。このような装置を用いることで、操作入力手段の構成が前記マスターアーム１７のものに比べてシンプルとなる。
【００１８】
一方、前記スコープ５はその挿入部先端部に立体撮像手段としての左右の図示しないＣＣＤが設けられており、これにより２枚の被写体像を撮像する立体視式電子内視鏡を構成している。これらのＣＣＤはビデオプロセッサ２１からの駆動信号によって駆動されるとともにその出力信号はそのビデオプロセッサ２１に入力されるようになっている。
【００１９】
また、ＨＭＤ１８は、術者の頭がどのように動いても、スコープ５の先端でとらえられる視野の映像を前記ディスプレイによって常に追従的に観察できるように構成されている。このような構成のＨＭＤ１８を装着して処置を行うことで、従来のように処置中に術者が手術室に設置されたＴＶモニタの方へ視線を移すといった煩わしい動作を行なわなくて済み、操作性が向上する。また、患部から視線を外すことなく常に患部の映像を明確に観察することができるから手術を容易に行なうことができる。
【００２０】
なお、前記スコープ５は立体スコープでなく通常の２次元スコープでもよい。立体（３次元）スコープであれば、ＨＭＤ１８により立体的に被検体を観察することが可能である。
【００２１】
術者の頭部、つまり術者の頭部に装着したＨＭＤ１８の空間的な移動量は位置センサとしての磁気センサー２２によって検知される。この磁気センサー２２は所定の磁場を発生する磁気センサーソース部２２ａと、この磁気センサーソース部２２ａからの磁場を検知する磁気センサーセンス部２２ｂとからなる。このうち磁気センサーソース部２２ａは手術室の定位置に設置され、他方の磁気センサーセンス部２２ｂはＨＭＤ１８のほぼ中央部に位置して取り付けられている。術者の頭部の動きはこうした磁気センサー２２によって検知されることにより観察用スレーブマニピュレータを操作するための操作入力情報が得られる。
【００２２】
次に、その操作手段の操作を検知する方法の一例を簡単に説明する。  ＨＭＤ１８以外の所定の場所にセットされた磁気センサーソース部２２ａから発生される、例えば３次元的に変化するパルス的な磁場は磁気センサーセンス部２２ｂで逐次検知され、その頭部の動きに伴う磁場の変化分の情報を後述するような制御装置２３で処理することによって、磁気センサーソース部２２ａに対する磁気センサーセンス部２２ｂの位置よびその磁気センサーセンス部２２ｂの傾斜であるオイラー角（ロール、ピッチ、ヨー）を求めて、術者の頭部の移動量および傾き量を検知する。
【００２３】
なお、ここでは術者の頭部の動きを検知する操作手段として磁気センサー２２を用いる方式について述べたが、例えば超音波センサーによって頭部の動きを検知してもよい。また、術者の頭部の動きを撮像して認識できるＣＣＤ等の固体撮像素子を有したＴＶカメラをその領域内に配置し、このＴＶカメラを通じて得られた術者の頭部の動きの映像からその動作データに基づいて画像処理を行なうことにより頭部の動きを検知してもよいものである。
【００２４】
次に、処置用スレーブマニピュレータ１５と観察用スレーブマニピュレータ１６の動作を制御する制御装置２３について説明する。
図１で示すように、磁気センサー２２の磁気センサーソース部２２ａと磁気センサーセンス部２２ｂは３次元（３Ｄ）位置センサデータ受信部２５に接続されている。そして、制御部２６からの受信要求信号に応じて磁気センサーセンス部２２ｂの位置情報や角度情報をその制御部２６に伝達する。
【００２５】
マスターアーム１７の図示しないエンコーダからの情報はマスターアームデータ受信部２７に入力され、制御部２６からの受信要求信号に応じて、その情報は制御部２６に伝達される。
【００２６】
処置用スレーブマニピュレータ１５の保持アーム６と処置具４の駆動部は処置用スレーブマニピュレータ制御部２８に接続されている。また、観察用スレーブマニピュレータ１６の保持アーム６とスコープ５の駆動部は観察用スレーブマニピュレータ制御部２９に接続されている。そして、制御部２６はそれぞれマスターアームデータ受信部２７および３次元位置センサデータ受信部２５での受信データの値に応じて、処置用スレーブマニピュレータ１５と観察用スレーブマニピュレータ１６の各モータの回転量を算出する。さらに処置用スレーブマニピュレータ制御部２８と観察用スレーブマニピュレータ制御部２９はその制御部２６からの前記回転量に基づいて各モータの回転制御を行なう。
【００２７】
また、前記スコープ５には図示しない照明用光源装置が接続されており、スコープ５からの映像信号は前記ビデオプロセッサ２１に入力され、ＴＶ画像信号に変換処理され、ＨＭＤ１８の左右２つの液晶ディスプレイに入力される。そして左右２つの液晶ディスプレイに表示される映像を３次元的に観察することができる。
【００２８】
次に、図２〜図５を参照して、前記制御装置２３での処理フローを説明する。制御部２６から３次元的位置センサデータ受信部２５に受信要求コマンドを送出し、その３次元的位置センサデータ受信部２５の位置センサの磁気センサーセンス部２２ｂからその位置およびオイラー角の信号を受信する。これと同時に制御部２６にはマスターアームデータ受信部２７からのマスターアーム１７の各エンコーダからの情報の信号が入力される。
【００２９】
ここで、術者が頭部を動かすことによりこれに装着したＨＭＤ１８が、図４の（ａ）で示すある点Ｐから点Ｑまで前方へ移動したとすると、スコープ５の先端位置は前記観察用スレーブマニピュレータ１６の動作により図４の（ｂ）で示すように視野光軸方向に点Ａから点Ｂまで移動する。この結果、ＨＭＤ１８上の立体映像の画像は図３での（ａ）から同図３の（ｂ）のように観察範囲が拡大変化する。それに伴って通常ならば前記観察範囲内での被写体の動きも拡大される。
【００３０】
ここで、スコープ５の先端の視野光軸方向の移動量｜ＡＢ｜＝ｌ（エル）、点Ａから被検体の点Ｏまでの距離｜ＡＯ｜＝Ｌとし、スコープ５の視野角を２θとすると、被検体の点Ｏを通り、線分ＡＯに直交する平面と視野角を規制する線分との交点をＸ、点Ｂまでスコープ５の先端が移動したときの同じく視野角を制限する線分との交点をＸ′とすると、
線分ＯＸ＝Ｌ・ｔａｎθ、    線分ＯＸ′＝（Ｌ−ｌ）・ｔａｎθ
であり、したがって、図３の（ａ）から同図３の（ｂ）への観察範囲の大きさが拡大したときの拡大率をｋとすると、
ｋ＝ＯＸ／ＯＸ′＝Ｌ／（Ｌ−ｌ）
となり、ＨＭＤ１８の画面上では処置具４の先端の動きはｋ倍に拡大されて見える。そこで、処置用スレーブマニピュレータ１５のマスタースレーブ動作の変換倍率Ｋ1 は初期値をｋ1 とすると、Ｋ1 ＝ｋ1 ×（１／ｋ）と設定する調整が自動的に行われる。
【００３１】
同様に、スコープ５が動いた場合も処置具４の先端、被検体の動きはｋ倍となるので、観察用スレーブマニピュレータ１６のマスタースレーブ動作の変換倍率Ｋ2 は、初期値をｋ2 とすると、Ｋ2 ＝ｋ2 ×（１／ｋ）と設定する調整が自動的に行われる。
【００３２】
つまり、前記係数を基に処置具４とスコープ５の先端の移動量を計算し、各マニピュレータについてのモータの回転数に変換し、各マニピュレータについてのモータの回転制御を行なう。そして、観察手段による前記観察範囲での被写体の変化を設定スピード以下に制限させる規制を行う。
【００３３】
なお、前述した初期値ｋ1 ，ｋ2 はシステム全体のパラメータとして固定あるいは任意に設定可能なものとしても良いし、スコープ５が視野光軸方向へ移動する直前の値（スコープ５の先端が点Ａのときのｋ1 及びｋ2 ）としても良い。
（作用）
この内視鏡下手術用マニピュレータシステムにおいて、ＨＭＤ１８を装着した術者の頭の位置と動きに応じてスコープ５の先端の位置とその視野方向が変化する。また、マスターアーム１７の動きに応じて処置具４の先端の位置と方向が変化する。体腔内の状況がＨＭＤ１８で立体的に観察される。
【００３４】
今、仮に術者が頭を前方へ動かすと、スコープ５の先端は視野光軸方向に移動し、ＨＭＤ１８上では観察視野つまり観察範囲が拡大して見えるが、その観察手段の観察範囲の変化に応じてマスタースレーブの変換係数を変えることで、マスターアーム１７と処置具４の動きは、ＨＭＤ１８の画面上で同じスピードで動くように自動的に調整がなされる。同様に頭の動きに対する画面上の視野の動きもマスタースレーブの変換係数を変えることで、頭の動きと観察視野での動きはいつも一定のスピードとなるようにする制御がなされる。術者が頭を後方へ動かしたときにも、同様に変換係数が変わる。
【００３５】
なお、変換倍率Ｋ1 ，Ｋ2 は、Ｋ1 ＝ｋ1 ×（１／ｋ）、Ｋ2 ＝ｋ2 ×（１／ｋ）だけではなく、処置具４とスコープ５とのものが次式のように別々の係数でも良い。
Ｋ1 ＝ｋ1 ×（（１／ｋ）×α）＝ｋ1 ×ｋ′
Ｋ2 ＝ｋ2 ×（（１／ｋ）×β）＝ｋ2 ×ｋ″
また、図５のように処置具４の先端が、スコープ５の視野光軸中心からずれている場合には、スコープ５の視野光軸と直交し、処置具４の先端を通る平面と光軸中心の交点をＯ′、視野角の交点をＸ，Ｘ′として
係数ｋ＝Ｏ′Ｘ／Ｏ′Ｘ′＝Ｌ′／（Ｌ′−ｌ）を計算しても良い。
（但しｌ′＝｜ＡＢ｜，Ｌ′＝｜ＡＯ′｜。）
（効果）
前記制御方式によれば、被検体とスコープ５の先端の位置によらず、観察手段の観察範囲における処置具４や被検体がその観察範囲を変化させても常に同一のスピードで観察画面内を移動するので、手技の作業性が大幅に向上する。
【００３６】
なお、観察手段の観察範囲における処置具や被検体の像の動きを制限的に規制する場合、その動くスピードが常に一定の値でなくともよい。
＜第２の実施例＞
図６を参照して、本発明の第２の実施例について説明する。
（構成）
これは前述した第１の実施例の構成に次のような画像処理手段を追加して次のように変形したものである。すなわち、立体ビデオス式のスコープ５の撮像信号をビデオプロセッサ２１に入力し、そのビデオプロセッサ２１の出力であるＴＶ信号を制御装置２３内の画像拡大／縮小部３１に入力する。画像拡大／縮小部３１は制御部２３からの指令によりＴＶ信号を拡大／縮小する機能を有する。画像拡大／縮小部３１で処理された映像信号はＨＭＤ１８のディスプレイ部に伝送され、表示される。
（作用）
前述した第１の実施例で説明したときの図４と同様にＨＭＤ１８を装着した術者が点Ｐから点ＱにそのＨＭＤ１８を移動させたとき、観察用スレーブマニピュレータ１６を動かし、またはスコープ５自体が動いて、そのスコープ５が視野光軸方向に動いたが、ここではそれを動かす代わりに制御部４３からの指示で画像拡大／縮小部３１により画像（観察範囲）を拡大し、その画像をＨＭＤ１８に表示する。
【００３７】
このときに第１の実施例と同様に係数Ｋ1 ，Ｋ2 を計算し、処置用スレーブマニピュレータ１５または観察用スレーブマニピュレータ１６のそれぞれの動きを制御し、観察手段の観察画面において処置具や被検体の像が常に一定のスピードで移動するようにする。
また、点Ｑから点Ｐに移動したときには画像（観察範囲）を縮小し、そのときの係数Ｋ1 ，Ｋ2 を計算して処置用スレーブマニピュレータ１５または観察用スレーブマニピュレータ１６を動かし、前記同様に制御する。
（効果）
この実施例の画像処理手段を利用すれば、スコープ５を動かす必要がないので、スコープ５が被検体に近付いたり遠ざかりすぎたりすることが無く、フォーカスの良い画像で観察することができる。もちろん、前述した第１の実施例の機能を選択的または重畳的に用いることもできる。
＜第３の実施例＞
図７および図８を参照して、本発明の第３の実施例について説明する。
（構成）
これは前述した第１の実施例の構成に次のような画像処理手段を追加したものである。すなわち、立体ビデオスコープ５の撮像信号はビデオプロセッサ２１に入力される。ビデオプロセッサ２１から出力するＴＶ信号は制御装置２３内に組み込まれた画像合成部４１に入力される。
【００３８】
一方、手術室の上部には立体ＴＶカメラ４２が設置されており、この立体ＴＶカメラ４２からのＴＶ信号も同じ画像合成部４１に入力される。この画像合成部４１では制御部２６からの指示に基づいてビデオプロセッサ２１からの信号と立体ＴＶカメラ４２からの信号を個別に拡大，縮小，合成，重畳を行なうことができ、これらの処置は図示しないスイッチの切り換えによって選択可能となっている。
（作用）
図８の如く、ＨＭＤ１８にてスコープ像を観察中に外部の視界を見たい場合、スイッチ（図示しない。）を押すことで、立体ＴＶカメラ４２の画像に切り換えることができる。また、例えば図８の（ｃ）の如くスコープ像とＴＶカメラ像を親子画面として見ることができるし、図８の（ｄ）のように重ね合わせて見ることも可能となる。スコープ像とＴＶカメラ像のどちらを親にするか子画面にするかは図示しないスイッチで行なうことができる。図８の（ａ）はスコープ像の単独像、図８の（ｂ）はＴＶカメラ像の単独像である。また、これらの画面の切り換えも図示しないスイッチで行なうことができる。
（効果）
ＨＭＤ１８を装着したままで、手術室内や被検者の様子を観察することができる。
また、親子画面や重量表示をすることで処置部位から目を離すことなく外部の視野（手術室内，被検者の様子）を見ることができる。
＜第４の実施例＞
図９ないし図１１を参照して、本発明の第４の実施例について説明する。
（構成）
これは、前述した第３の実施例においての立体ＴＶカメラ５１をＨＭＤ１８上に視野方向とほぼ水平になるように取り付けたものであり、その他は前述した第３の実施例と同じである。
（作用）
画像合成部４１にてスコープ５による視野像と外部の視野像を重量してＨＭＤ１８の映像画面として表示する。
（効果）
ＴＶカメラ５１をＨＭＤ１８上に取り付けることで、図１１で示すように実際の術部の位置とスコープ像を一致させて実際的に観察できるため、処置具４やスコープ５のオリエンテーションが付けやすくなる。
［追記］
(1) 生体内組織部位の観察と処置のうち少なくとも一方を行なうスレーブマニピュレータと、このスレーブマニピュレータを操作するための操作手段と、この操作手段からの操作情報に基づいて前記スレーブマニピュレータの動作を制御する制御手段とを備えた体腔内手術用マニピュレータ装置において、生体内組織部位を観察する手段と、この観察手段の観察範囲を変化させる手段と、この観察手段による前記観察範囲での被写体の移動を制限させる如く前記操作手段とスレーブマニピュレータの動作比率を自動的に調整させる手段を設けたことを特徴とする体腔内手術用マニピュレータ装置。例えばスコープで観察する画像の倍率に応じてマスタの動きに対するスレーブマニピュレータの動作量を制限し、観察手段の観察範囲での被写体の動くスピードを自動的に調整することができる。
(2) 前記(1) 項において、前記観察範囲を変化させる手段はスコープを視野光軸方向に進退させる手段である。
(3) 前記(1) 項において、前記観察範囲を変化させる手段はスコープの像を拡大，縮小させる手段である。
(4) 前記(1) 項において、前記観察手段はスコープの像を観察するＨＭＤを有する。
(5) 前記(4) 項において、外部の視界を観察する手段としてＴＶカメラを有し、前記ＨＭＤはそのＴＶカメラで撮像した像を合わせて観察する。
(6) 前記(5) 項において、前記ＴＶカメラは手術室内に配置される。
(7) 前記(5) 項において、前記ＴＶカメラは前記ＨＭＤ上に取り付けられる。
(8) 前記(4) 項において、ＨＭＤの画面に前記スコープの像と前記ＴＶカメラの像を親子画面表示にする手段を有する。
(9) 前記(8) 項において、親子画面を入れかえる手段を有する。
(10)前記(4) 項において、ＨＭＤの画面に前記スコープの像と前記ＴＶカメラの像を重畳表示する手段を有する。
前記(4) 〜(10)項によれば、ＨＭＤを装着したままで手術室内や被検者の様子を観察できるので作業性が向上する。また、親子画面表示や重量表示等をすることで処置部位から目を離さずに手術室内や被検者の様子を見ることができる。
【００３９】
【発明の効果】
以上説明したように本発明によれば、スコープの動きによらず、被写体が観察画面内で観察対象しやすい所定のスピードで移動するように自動的に設定されるため、観察下における手技の作業性が大幅に向上する。
【図面の簡単な説明】
【図１】第１の実施例に係る内視鏡下手術用マニピュレータシステムの説明図。
【図２】同じく第１の実施例に係る内視鏡下手術用マニピュレータシステムの制御装置での処理フローの説明図。
【図３】（ａ）（ｂ）は同じく第１の実施例に係る内視鏡下手術用マニピュレータシステムのＨＭＤ上の立体映像の画像の拡大変化の説明図。
【図４】同じく第１の実施例に係る内視鏡下手術用マニピュレータシステムにおけるＨＭＤの移動を示す斜視図。
【図５】同じく第１の実施例に係る内視鏡下手術用マニピュレータシステムにおけるＨＭＤの前記図４の動きに対応したスコープの移動を示す斜視図。
【図６】第２の実施例に係る内視鏡下手術用マニピュレータシステムの説明図。
【図７】第３の実施例に係る内視鏡下手術用マニピュレータシステムの説明図。
【図８】同じく第３の実施例に係る内視鏡下手術用マニピュレータシステムの観察画面の説明図。
【図９】第４の実施例に係る内視鏡下手術用マニピュレータシステムのＨＭＤの斜視図。
【図１０】同じく第４の実施例に係る内視鏡下手術用マニピュレータシステムの観察画面の説明図。
【図１１】同じく第４の実施例に係る内視鏡下手術用マニピュレータシステムの使用状態の説明図。
【符号の説明】
４…内視鏡用処置具、５…スコープ、１５…処置用スレーブマニピュレータ、１６…観察用スレーブマニピュレータ、１７…マスターアーム（マニピュレータ）、１８…ＨＭＤ、２２…磁気センサー、２５…３次元位置センサデータ受信部、２６…制御部、２７…マスターアームデータ受信部、２８…処置用スレーブマニピュレータ制御部、２９…観察用スレーブマニピュレータ制御部。
【図１】
0003668269.tif 000002
【図２】
0003668269.tif 000003
【図３】
0003668269.tif 000004
【図４】
0003668269.tif 000005
【図５】
0003668269.tif 000006
【図６】
0003668269.tif 000007
【図７】
0003668269.tif 000008
【図８】
0003668269.tif 000009
【図９】
0003668269.tif 000010
【図１０】
0003668269.tif 000011
【図１１】
0003668269.tif 000012